(57)【要約】【課題】タッチパネルと化粧パネルとの水封が良好な洗濯機を提供する。【解決手段】表示操作部１０は、基板７０を収容するとともにカバー２０に固定支持される基板ケース８０と、カバー２０に形成された窓部２０ａに配置されるタッチパネル３０と、表示パネル５０の表側においてタッチパネル３０を支持するパネルガイド４０と、タッチパネル３０とカバー２０との間に配置されるシール部材１００と、を備え、窓部２０ａを囲むように、カバー２０に係止爪２０ｉが形成され、パネルガイド４０に係止部４１ｃが形成されている。【選択図】図６
2016059715.tif 000002
【特許請求の範囲】
【請求項１】
洗濯槽を収容する筺体と、
前記筺体に設けられ、動作条件および運転状態の表示を行う表示操作部と、を有する洗濯機において、
前記表示操作部は、
基板を収容するとともに前記筺体に固定支持される基板ケースと、
前記筺体に形成された開口部に配置されるタッチパネルと、
表示パネルの表側において前記タッチパネルを支持するパネルガイドと、
前記タッチパネルと前記筺体との間に配置されるシール部材と、
前記開口部を囲むように、前記筺体と前記パネルガイドとを固定する固定手段と、を備えることを特徴とする洗濯機。
【請求項２】
前記固定手段は、
前記筺体に形成される複数の係止爪と、前記パネルガイドに形成される複数の係止部とを係止させることで構成されていることを特徴とする請求項１に記載の洗濯機。
【請求項３】
前記係止爪は、前記筺体と前記基板ケースとが固定支持される固定位置が前記開口部より遠いほど密に配置されることを特徴とする請求項２に記載の洗濯機。
【請求項４】
前記係止部は、前記パネルガイドの上端に形成されていることを特徴とする請求項２または請求項３に記載の洗濯機。
【請求項５】
前記筺体は、前記開口部に沿って延在するリブを備え、
前記リブには、複数の前記係止爪が形成されていることを特徴とする請求項２から請求項４のいずれか１項に記載の洗濯機。
【発明の詳細な説明】
【技術分野】
【０００１】
本発明は、タッチパネル式の表示操作部を備えた洗濯機に関する。
【背景技術】
【０００２】
近年、複雑化した機能を簡易に操作するために、操作部にタッチパネルが導入されるようになってきている。洗濯機にタッチパネルを導入する場合、タッチパネルの表面全体を合成樹脂で覆い、その裏面にタッチパネルの電極を配置することで、湿気などの浸入を防止できる。しかし、合成樹脂の裏面にタッチパネルの電極を配置する構成では、誘電率が小さく反応性が悪くなる。このため、タッチパネルの表面をガラス板にし、合成樹脂製の化粧パネル（筺体）に形成した開口部にタッチパネルを配置し、化粧パネルとガラス板との間にゴム製部品（シール部材）を挟み込むことで水封することが行われている（例えば、特許文献１参照）。
【先行技術文献】
【特許文献】
【０００３】
【特許文献１】特開２０１４−５４４９１号公報
【発明の概要】
【発明が解決しようとする課題】
【０００４】
ところで、合成樹脂製の化粧パネルには、耐薬品性および透明性の観点からＰＥＴ（polyethylene terephthalate）などがよく用いられる。しかし、ＰＥＴなどを用いると、化粧パネルにゴム製部品（弾性体）の反発力が常にかかり続けるため、特許文献１に記載のように、化粧パネルの開口部にタッチパネルを配置した洗濯機を、梱包した状態で運搬する場合など、過度の熱が加えられる環境下では、化粧パネルが変形し、水封が損なわれる虞があった。
【０００５】
本発明は、前記従来の問題を解決するものであり、タッチパネルと化粧パネルとの水封が良好な洗濯機を提供することを目的とする。
【課題を解決するための手段】
【０００６】
本発明は、洗濯槽を収容する筺体と、前記筺体に設けられ、動作条件および運転状態の表示を行う表示操作部と、を有する洗濯機において、前記表示操作部は、基板を収容するとともに前記筺体に固定支持される基板ケースと、前記筺体に形成された開口部に配置されるタッチパネルと、表示パネルの表側において前記タッチパネルを支持するパネルガイドと、前記タッチパネルと前記筺体との間に配置されるシール部材と、前記開口部を囲むように、前記筺体と前記パネルガイドとを固定する固定手段と、を備えることを特徴とする。
【発明の効果】
【０００７】
本発明によれば、タッチパネルと化粧パネルとの水封が良好な洗濯機を提供できる。
【図面の簡単な説明】
【０００８】
【図１】本発明の実施形態に係る洗濯機を示す外観斜視図である。
【図２】表示操作部を示す平面図である。
【図３】（ａ）は第１実施形態に係る表示操作部を示す分解斜視図、（ｂ）は（ａ）のＡ部拡大図である。
【図４】表示操作部のカバーの裏側を示す平面図である。
【図５】パネルガイドを示す平面図である。
【図６】（ａ）は図２のＩ−Ｉ線断面図、（ｂ）は（ａ）のＢ部拡大図である。
【図７】図２のＩＩ−ＩＩ線断面図である。
【図８】（ａ）は第２実施形態に係る表示操作部を示す断面図、（ｂ）は（ａ）のＣ部拡大図である。
【発明を実施するための形態】
【０００９】
以下、本発明を実施するための形態（以下「実施形態」という）について、適宜図面を参照しながら詳細に説明する。なお、以下では、洗濯、すすぎ、脱水、乾燥を行うことができる洗濯機（いわゆる、ドラム式の洗濯乾燥機）を例に挙げて説明するが、縦型の洗濯乾燥機、洗濯、すすぎ、脱水を行うことができる洗濯機（いわゆる、全自動洗濯機）など各種様々な洗濯機に適用することができる。
【００１０】
図１は、本発明の実施形態に係る洗濯機を示す外観斜視図である。
図１に示すように、本実施形態のドラム式洗濯乾燥機（以下、洗濯機と表記する）Ａは、洗濯から乾燥までの工程を行うことができるものであり、筐体１、外槽２、回転ドラム３、操作パネル４などを備えている。なお、本実施形態では、外槽２と回転ドラム３とで洗濯槽が構成されている。
【００１１】
筐体１は、外郭が鋼板と樹脂成型品とを組み合わせて構成され、ベースＢｓ、左右の側板１ａ，１ｂ、前面カバー１ｃ、背面カバー１ｄ、上面カバー１ｅ、下部前面カバー１ｆなどで構成されている。側板１ａ，１ｂおよび背面カバー１ｄは、例えば、鋼板をプレス成形によって構成したものである。ベースＢｓ、前面カバー１ｃ、上面カバー１ｅおよび下部前面カバー１ｆは、例えば、合成樹脂を成型して構成したものである。
【００１２】
外槽２は、洗いおよびすすぎの際に、水が注がれて貯留されるドラム形の水槽であり、前面側に開口（不図示）を有する有底円筒体からなる。また、外槽２の背面には、後記する回転ドラム３を駆動させるモータ（不図示）が設けられている。また、外槽２は、筺体１内において、ダンパ７などを介して弾性支持されている。
【００１３】
回転ドラム３は、洗濯兼脱水槽として機能し、外槽２内に同軸上に内包される有底円筒体からなる。また、回転ドラム３は、手前側に衣類を出し入れするための開口部（不図示）、および周壁に通水および通風のための多数の貫通孔（不図示）を有している。また、回転ドラム３の回転中心は、開口部側が高くなるように傾斜している。なお、回転ドラム３は、回転中心が水平方向を向くものであってもよい。
【００１４】
また、回転ドラム３の内周壁には、奥行き方向（軸方向、略前後方向）に延びるリフタ（不図示）が周方向に間隔を置いて複数個設けられている。洗濯時や乾燥時に回転ドラム３が回転することで、衣類などがリフタと遠心力で周壁に沿って持ち上がり、その後重力で落下するような動き（タンブリング動作）を繰り返すことで洗浄力が高められるようになっている。
【００１５】
なお、図示していないが、洗濯機Ａは、外槽２内の空気を除湿する除湿手段（例えば、水冷式の除湿機構）、除湿した空気を加熱する加熱手段（ヒータ）、外槽２（回転ドラム３）内と加熱手段および除湿手段との間において空気を循環させる循環手段（電動ファン）を備えている。
【００１６】
図２は、操作パネルを示す平面図である。なお、図２は、洗濯機Ａから操作パネル４を取り外した状態である。
図２に示すように、この例では、操作パネル４は、筺体１の上部手前に設けられ、表示操作部１０、スタート・一時停止ボタン１１、電源入ボタン１２、電源切ボタン１３によって構成されている。つまり、運転のスタート操作、運転の一時停止操作、電源入り操作、電源切り操作を除く操作については、表示操作部１０側の操作によって行われるものである。
【００１７】
表示操作部１０は、いわゆるタッチパネル式のものであり、動作条件の表示および運転状態の表示を行うものである。なお、動作条件の表示とは、洗濯のみを行う洗濯コース、洗濯から乾燥までを通して行う洗濯／乾燥コース、乾燥のみを行う乾燥コース、洗濯時の洗い時間、すすぎ回数、脱水時間、脱水時または乾燥時の乾き具合、予約時間、運転終了までの残り時間などの表示を意味している。運転状態の表示とは、現在の運転状況を表示するものであり、例えば、洗濯コースであれば、洗い工程中であるのか、すすぎ工程中であるのか、脱水工程中であるのか、また運転終了までの残り時間の表示を意味している。
【００１８】
また、表示操作部１０では、画面の表示が適宜切り替わりながらタッチ入力操作（コース設定など）が行われるとともに、運転開始後において現在の運転状況が表示されるようになっている。また、図２に示す領域Ｒ２は、例えば、現在設定されている運転コース（洗濯コース、洗濯乾燥コース、乾燥コース）など適宜表示が切り替わる領域である。図２に示す領域Ｒ３は、糸くずフィルタや乾燥フィルタのお掃除時期などをユーザに知らせる点灯状態と消灯状態とが適宜切り替わる領域である。
【００１９】
図３（ａ）は、第１実施形態に係る表示操作部を示す分解斜視図、（ｂ）は（ａ）のＡ部拡大図である。なお、図３では、各部材の積層方向が上下方向である。
図３（ａ）に示すように、表示操作部１０は、カバー２０（筺体、化粧パネル）、タッチパネル３０、パネルガイド４０、表示パネル５０、表示パネルガイド６０、基板７０、基板ケース８０、シール部材１００などが組み合わされて構成されている。なお、図３では、シール部材１００がタッチパネル３０に組み付けられた状態であり、表示パネル５０が表示パネルガイド６０に組み付けられた状態である。
【００２０】
カバー２０が最も手前側（上側）に位置し、基板ケース８０が最も奥側（下側）に位置している。カバー２０の後方（下方）には、タッチパネル３０が配置され、タッチパネル３０がパネルガイド４０に支持されている。また、タッチパネル３０の後方（下方）には、表示パネルガイド６０に支持された表示パネル５０が配置されている。タッチパネル３０および表示パネル５０は、基板７０上に配置された状態で基板ケース８０内に収容される。
【００２１】
また、シール部材１００が取り付けられたタッチパネル３０は、パネルガイド４０に支持されるとともに、表示パネルガイド６０に取り付けられた表示パネル５０は、パネルガイド４０内に位置するように配置される。
【００２２】
また、タッチパネル３０から右側に延びるフレキシブル配線（フレキシブル基板）３１は、基板７０に設けられたコネクタ７３に接続される。また、表示パネル５０から前側に延びるフレキシブル配線（フレキシブル基板）５１は、基板７０に設けられたコネクタ７４（図６参照）に接続される。
【００２３】
図４は、表示操作部のカバーの裏側を示す平面図である。
図４に示すように、カバー２０は、略矩形状に形成され、タッチパネル３０が露出する矩形状に切り欠かれた窓部２０ａ（開口部）を有している。窓部２０ａは、カバー２０を貫通する孔であり、左右方向（幅方向）の左寄り（図４では右側寄り）に形成されている。
【００２４】
また、カバー２０は、耐薬品性および透明性に優れたＰＥＴなどの合成樹脂で形成されている。このように、カバー２０の材料として、ＰＥＴを使用することにより、操作パネル４に設けられているスタート・一時停止ボタン１１などの操作ボタンをＬＥＤなどによって光らせることができ、視認性および操作性を向上させることが可能になる。また、カバー２０の材質としてＰＥＴを使用することにより、洗剤成分が付着したとしてもカバー２０にクラックが入って破損するなどの不具合を防止できる。
【００２５】
また、カバー２０には、機体側の筐体１（図１参照）にねじ固定するためのねじ挿通孔２０ｂが後端部において左右方向（幅方向）に間隔を空けて複数個所に形成されている。なお、ねじ挿通孔２０ｂの位置、個数などは本実施形態に限定されるものではない。また、カバー２０の裏面には、機体側の筐体１（図１参照）に係止させる爪２０ｃが前端部において左右方向（幅方向）に間隔を空けて複数個所に形成されている。なお、爪２０ｃの位置、形状、個数などについても本実施形態に限定されるものではない。
【００２６】
また、カバー２０の裏面には、窓部２０ａと、スタート・一時停止ボタン１１（図２参照）の操作領域とを囲むように略四角枠状の内リブ２０ｄが形成されている。この内リブ２０ｄは、基板ケース８０に形成された溝８０ｃ（図３参照）と対応する位置に形成されている。また、内リブ２０ｄは、窓部２０ａの前側の縁部に沿って延在する横リブ２０ｄ１と、窓部２０ａの後側の縁部に沿って延在する横リブ２０ｄ２と、窓部２０ａの左側（図示右側）の縁部に沿って延在する縦リブ２０ｄ３と、窓部２０ａの右側（図示左側）の縁部に沿って延在する縦リブ２０ｄ４と、を有して構成されている。また、横リブ２０ｄ２と縦リブ２０ｄ３は、窓部２０ａの縁部に最も近くに位置し、縦リブ２０ｄ４は、窓部２０ａの縁部から最も遠くに位置し、横リブ２０ｄ１は、これらの中間に位置している。なお、本実施形態では、横リブ２０ｄ２と縦リブ２０ｄ３が、特許請求の範囲に記載のリブに対応する。
【００２７】
また、カバー２０の裏面には、内リブ２０ｄの周囲を略囲むように外リブ２０ｇが形成されている。この外リブ２０ｇは、横リブ２０ｄ１に沿って延在する横リブ２０ｇ１と、縦リブ２０ｄ３に沿って延在する縦リブ２０ｇ３と、縦リブ２０ｄ４に沿って延在する縦リブ２０ｇ４と、を有している。
【００２８】
また、横リブ２０ｇ１には、係止孔２０ｓ１が左右方向において間隔を空けて複数箇所（本実施形態では３箇所）に形成されている。また、縦リブ２０ｇ３には、係止孔２０ｓ３が前後方向において間隔を空けて複数箇所（本実施形態では２箇所）に形成されている。また、縦リブ２０ｇ４には、係止孔２０ｓ４が形成されている。
【００２９】
また、カバー２０の裏面には、内リブ２０ｄの内側において、窓部２０ａ（開口部）を囲むようにして、複数の係止爪２０ｈ，２０ｉ，２０ｊ，２０ｋが形成されている。係止爪２０ｈは、窓部２０ａの前側の縁部に沿って間隔を置いて複数箇所（本実施形態では３箇所）に形成されている。係止爪２０ｉは、窓部２０ａの後側の縁部に沿って間隔を置いて複数箇所（本実施形態では４箇所）に形成されている。係止爪２０ｊは、窓部２０ａの左側（図示右側）の縁部に対応する位置に形成されている。係止爪２０ｋは、窓部２０ａの右側（図示左側）の縁部に沿って間隔を置いて複数箇所（本実施形態では２箇所）に形成されている。また、カバー２０の裏面には、基板ケース８０をカバー２０にねじ固定するためのボス２０ｖ，２０ｖが形成されている。
【００３０】
係止爪２０ｈ、２０ｋは、内リブ２０ｄや外リブ２０ｇが形成される底面（裏面）２０ｕから突出して形成されている。係止爪２０ｉは、横リブ２０ｄ２（内リブ２０ｄ）と一体に形成されている。係止爪２０ｊは、縦リブ２０ｄ３（内リブ２０ｄ）と一体に形成されている。
【００３１】
これらの係止爪２０ｈ，２０ｉ，２０ｊ，２０ｋは、窓部２０ａの縁部から略同じ距離だけ離れた位置に形成されている。なお、係止爪２０ｈ，２０ｉ，２０ｊ、２０ｋの位置、形状、間隔は、本実施形態に限定されるものではなく、適宜変更することができる。例えば、係止爪２０ｉ，２０ｊについては、内リブ２０ｄと一体に形成したが、係止爪２０ｈ，２０ｋのように、底面２０ｕから突出するように単独で形成してもよい。逆に、係止爪２０ｈ，２０ｋについて、係止爪２０ｉ，２０ｊのように、底面２０ｕにリブを形成し、そのリブと一体に形成するようにしてもよい。
【００３２】
図３（ａ）に戻って、タッチパネル３０は、例えば、周知の静電容量式のものであり、透明電極のパターンが形成されたな電極基板３３によって構成されている。この静電容量式のタッチパネル３０では、指で操作された（押された）位置（領域）を検出できるようになっている。
【００３３】
また、タッチパネル３０は、強化ガラス３２（ガラス板／図７、図８参照）と電極基板３３（図７、図８参照）とが積層された構成であり、上側（表側）に強化ガラス３２が配置されて構成されている。
【００３４】
また、タッチパネル３０は、外周縁部が、窓部２０ａの開口縁部と重なるように、カバー２０の窓部２０ａの開口面積よりも大きく形成されている。
【００３５】
また、タッチパネル３０は、操作された位置情報信号を取り出すためのフレキシブル配線３１（配線、ＦＰＣ：Flexible printed circuits）を備えている。このフレキシブル配線３１は、ポリイミドなどの絶縁フィルムに銅などの導体箔を設けることによって構成され、後記する基板７０と接続されている。
【００３６】
パネルガイド４０（支持部材）は、タッチパネル３０を支持する合成樹脂製のもので形成され、タッチパネル３０の外周縁部が支持される支持部４１を有している。また、パネルガイド４０は、支持部４１の内側に、後記する表示パネル５０（表示パネルガイド６０）が挿入される略矩形状の開口部４２を有している。
【００３７】
また、パネルガイド４０は、支持部４１の外周縁部から上方（表側）に向けて起立する枠部４１ａを有している。この枠部４１ａは、フレキシブル配線３１を引き出す部分を除いて全周に渡って形成されている。
【００３８】
また、パネルガイド４０の周縁部の下面には、パネルガイド４０を基板７０上の所定高さ位置に位置決めするための位置決め突起４３が複数個所に形成されている。
【００３９】
また、パネルガイド４０は、タッチパネル３０の領域Ｒ３（図２参照）に対応する位置に導光路４４が形成されている。なお、本実施形態のパネルガイド４０には、スタート・一時停止ボタン１１（図２参照）の一部を構成するボタン支持部４５が一体に形成されている。このボタン支持部４５には、操作ボタン４６が上下方向に動作可能に支持されている。
【００４０】
図３（ｂ）に示すように、パネルガイド４０には、後側に位置する枠部４１ａの外面に、複数（本実施形態では４箇所）の係止部４１ｃが左右方向に間隔を置いて形成されている。係止部４１ｃは、左右方向からの側面視において略三角状に形成され、上方から下方に向けて枠部４１ａの外面から離れるようにテーパ状に形成されている。また、係止部４１ｃは、枠部４１ａの上端、換言するとパネルガイド４０の上端に形成されている。
【００４１】
図３（ａ）に戻って、表示パネル５０は、例えば、モノクロタイプ且つバックライトを備えた液晶パネルで構成され、動作条件および動作状況（運転状態）を表示するものである。なお、表示パネル５０は、液晶に限定されるものではなく、有機ＥＬなど他の薄型の表示パネルであってもよい。また、表示パネル５０は、モノクロタイプに限定されるものではなく、カラータイプであってもよい。
【００４２】
また、表示パネル５０は、タッチパネル３０の後方（下方）に位置するように配置され、タッチパネル３０の領域Ｒ１，Ｒ２に対応する表示領域Ｓ１０を構成している。表示領域Ｓ１０の周囲は、非表示領域Ｓ２０となっている。
【００４３】
なお、図示省略しているが、表示パネル５０は、表示信号などを入力するためのフレキシブル配線（ＦＰＣ）５１を備えている。このフレキシブル配線５１は、基板７０と接続されている。
【００４４】
表示パネルガイド６０は、表示パネル５０を支持する合成樹脂製のもので形成され、表示パネル５０の下面（裏面）を支持する支持部６１（図６、図７参照）を有している。また、表示パネルガイド６０は、表示パネル５０の周囲を囲む側板６２を有し、表示パネル５０が後記する基板７０から所定の高さで支持されるようになっている。
【００４５】
基板７０は、タッチパネル３０から延びるフレキシブル配線３１と電気的に接続されるとともに、表示パネル５０から延びるフレキシブル配線５１と電気的に接続されている。フレキシブル配線３１の先端には、コネクタ７３（図７参照）が設けられ、このコネクタ７３が基板７０の端子と接続されている。また、フレキシブル配線５１の先端には、コネクタ７４（図６参照）が設けられ、このコネクタ７４が基板７０上の端子と接続されている。
【００４６】
また、基板７０の表面（上面）には、パネルガイド４０の導光路４４に対応する位置に、ＬＥＤ（Light Emitting Diode）などで構成された発光素子７１が実装されている。また、基板７０には、パネルガイド４０の各位置決め突起４３が挿入される位置決め孔７２が形成されている。
【００４７】
また、基板７０は、ＣＰＵ（Central Processing Unit）、ＲＯＭ（Read Only Memory）、ＲＡＭ（Random Access Memory）等を搭載した制御部、入出力部などを備え、タッチパネル３０のタッチ操作に基づいて、表示パネル５０およびＬＥＤ７１を制御する。すなわち、制御部は、ユーザがタッチパネル３０をタッチ操作することで選択した動作条件を示す信号などにより、表示パネル５０に表示する表示内容を決定して制御信号を作成するとともに、ＬＥＤ７１を発光または消灯させる制御信号を作成する。また、制御部は、現在の運転状態を取得し、表示パネル５０に表示する表示内容を決定して制御信号を作成する。
【００４８】
基板ケース８０は、例えば、ＡＢＳ（Acrylonitrile Butadiene Styrene）樹脂などの耐熱性に優れた材料で形成され、底壁８０ａと、この底壁８０ａの周縁部から上方に向けて立ち上がる側壁８０ｂとを有し、基板７０の形状に沿うように上面が開口した皿状となっている。なお、図３（ａ）では、側壁８０ｂの一部の図示を省略しているが、側壁８０ｂが底壁８０ａの周縁部全体に渡って形成されている。
【００４９】
側壁８０ｂの上面（上端）には、溝８０ｃが周方向全体に渡って形成されている。なお、この溝８０ｃは、カバー２０の裏面に形成された内リブ２０ｄに対応する位置に形成されている。
【００５０】
シール部材１００は、カバー２０の窓部２０ａとタッチパネル３０との間の隙間を密閉して、窓部２０ａを通して外部から湿気や液体（水、洗剤など）が流入するのを防止するものであり、ゴムなどの弾性材料によって四角枠状に形成されている。また、シール部材１００は、断面視Ｕ字状に形成され（図６、図７参照）、タッチパネル３０の外周縁部全体に渡って設けられている。
【００５１】
また、シール部材１００の外周面には、周方向に間隔を空けて複数の弾性突部１０１が形成され、弾性突部１０１には、上下方向に貫通する孔１０１ａが形成されている。一方、パネルガイド４０の枠部４１ａには、各弾性突部１０１に対応する位置において前記孔１０１ａが挿入される挿入部４１ｂが形成されている。これにより、タッチパネル３０がパネルガイド４０にガタツキなく支持される。
【００５２】
図５は、パネルガイドを示す平面図である。なお、図５では、パネルガイド４０を基板ケース８０内に収容した状態を示し、窓部２０ａを仮想線で示している。また、図５は、図４よりも拡大した状態で図示している。
図５に示すように、パネルガイド４０には、後側に位置する枠部４１ａの外面に、複数（本実施形態では４箇所）の係止部４１ｃが左右方向に間隔を置いて形成されている。この係止部４１ｃは、突起形状であり、カバー２０に形成された係止爪２０ｉ（図４参照）と係止されるようになっている。
【００５３】
左側の枠部４１ａの外面には、係止部４１ｄが形成されている。この係止部４１ｄは、突起形状であり、カバー２０に形成された係止爪２０ｊ（図４参照）と係止されるようになっている。
【００５４】
右側の枠部４１ａには、複数（本実施形態では２箇所）の係止部４１ｅが前後方向に間隔を置いて形成されている。この係止部４１ｅには、矩形の孔形状であり、カバー２０に形成された係止爪２０ｋ（図４参照）が挿入されて、係止部４１ｅの孔の縁部に係止爪２０ｋ（図４参照）が係止されるようになっている。
【００５５】
前側の枠部４１ａには、複数（本実施形態では３箇所）の係止部４１ｆが左右方向に間隔を置いて形成されている。両側の係止部４１ｆは、前方が解放する凹形状であり、中央の係止部４１ｆは、前方に突出する突起形状である。係止部４１ｆには、カバー２０に形成された係止爪２０ｈ（図４参照）が係止される。
【００５６】
また、パネルガイド４０は、基板７０（図３参照）にねじ固定するためのねじ固定部４１ｈが枠部４１ａの周囲の複数箇所（本実施形態では５箇所）に形成されている。
【００５７】
一方、基板ケース８０には、当該基板ケース８０をカバー２０の裏面にねじ固定するための固定部８１ａ，８１ａが形成されている。この固定部８１ａ，８１ａは、カバー２０のボス２０ｖに対応する位置に形成されている。すなわち、各固定部８１ａは、基板ケース８０の側壁８０ｂから後方に向けて延在し、先端部に上下方向に貫通するねじ挿通孔８１ｂが形成されている。
【００５８】
また、基板ケース８０の側壁８０ｂの外面には、係止部４１ｄが形成される側に係止突起８２ａ，８２ａが前後方向に間隔を置いて形成されている。また、基板ケース８０の側壁８０ｂの外面には、係止部４１ｆが形成される側に係止突起８２ｂ，８２ｂ，８２ｂが左右方向に間隔を置いて形成されている。また、基板ケース８０の側壁８０ｂの外面には、係止部４１ｅが形成される側に係止突起８２ｃが形成されている。
【００５９】
ここで、固定部８１ａにおける固定位置（ねじ挿通孔８１ｂ）をＰ１とした場合、固定位置Ｐ１から窓部２０ａの後側の縁までの距離をＳ１とする。また、係止突起８２ａにおける固定位置をＰ２とした場合、固定位置Ｐ２から窓部２０ａの左側の縁までの距離をＳ２とする。また、係止突起８２ｂにおける固定位置をＰ３とした場合、固定位置Ｐ３から窓部２０ａの前側の縁までの距離をＳ３とする。また、係止突起８２ｃにおける固定位置をＰ４とした場合、固定位置Ｐ４から窓部２０ａの右側の縁までの距離をＳ４とする。
【００６０】
窓部２０ａにおける対向する長辺について比較すると、固定位置Ｐ１からの距離Ｓ１と、固定位置Ｐ３からの距離Ｓ３との大小関係は、Ｓ１＞Ｓ３となる。そこで、固定部８１ａ側に位置するパネルガイド４０に設ける係止部４１ｃの個数を４個とし、係止突起８２ｂ側に位置するパネルガイド４０に設ける係止部４１ｆの個数を３個とする。換言すると、長い方の距離Ｓ１に対応する側の係止爪２０ｉ（図４参照）を４個とし、短い方の距離Ｓ３に対応する側の係止爪２０ｈ（図４参照）を３個とする。このように、固定位置（Ｐ１，Ｐ３）が窓部２０ａから遠いほど係止爪（２０ｉ、２０ｈ）が密に形成される。
【００６１】
また、窓部２０ａにおける対向する短辺について比較すると、固定位置Ｐ２からの距離Ｓ２と、固定位置Ｐ４からの距離Ｓ４との大小関係は、Ｓ４＞Ｓ２となる。そこで、係止突起８２ａ側に位置するパネルガイド４０に設ける係止部４１ｄの個数を１個とし、係止突起８２ｃ側に位置するパネルガイド４０に設ける係止部４１ｅの個数を２個とする。換言すると、短い方の距離Ｓ２に対応する側の係止爪２０ｊ（図４参照）を１個とし、長い方の距離Ｓ４に対応する側の係止爪２０ｋ（図４参照）を２個とする。このように、固定位置（Ｐ２，Ｐ４）が窓部２０ａから遠いほど係止爪（２０ｊ，２０ｋ）が密に形成される。
【００６２】
図６（ａ）は、図２のＩ−Ｉ線断面図、（ｂ）は（ａ）のＢ部拡大図である。なお、図６は、図４のＩａ−Ｉａ線に対応する位置（右から２番目の係止爪２０ｉの位置）で切断したときの断面図である。
図６（ａ）に示すように、表示操作部１０では、基板ケース８０内において基板７０が底壁８０ａに沿って配置され、基板７０上には、表示パネル５０を取り付けた表示パネルガイド６０が配置され、表示パネル５０が基板７０から所定の高さに配置されている。そして、タッチパネル３０を取り付けたパネルガイド４０が表示パネルガイド６０の上方から配置されるが、このとき表示パネルガイド６０がパネルガイド４０の開口部４２内に配置される。これにより、タッチパネル３０と表示パネル５０とが上下に重なるようにして配置され、表示パネル５０に表示された画面が、タッチパネル３０を透過して、ユーザが視認できるようになっている。
【００６３】
また、表示パネル５０に付随しているフレキシブル配線５１は、コネクタ７４に接続されている。基板７０には、コネクタ７４の周囲を囲むように仕切り部９１が配置されている。この部分を避けて（仕切り部９１の上面よりも低くなるように）ポッティング材１２０（図６のドットで示す部分参照）が基板７０全体に充填されている。このポッティング材１２０の充填により、フレキシブル配線５１とコネクタ７４を囲むように形成された配線カバー４７と、表示パネル５０を囲むように全周に形成された側壁４８の下部隙間が埋められ、その部分からの湿気の浸入を防止する。
【００６４】
そして、タッチパネル３０を取り付けたパネルガイド４０の上方からカバー２０が被せられる。このときカバー２０の窓部２０ａの縁部２０ｆが上方から押圧されることで、タッチパネル３０の縁部が、シール部材１００を介して窓部２０ａの縁部２０ｆとパネルガイド４０の支持部４１とで挟持される。このように、タッチパネル３０、シール部材１００、パネルガイド４０およびポッティング材１２０により、表示パネル５０を含む空間が密閉される。なお、配線カバー４７を設けることにより、万一、パネルガイド４０とシール部材１００との間から水が浸入してきた場合でも、配線カバー４７の上面を通るので、フレキシブル配線５１に水が付着するのを防ぐことが可能である。
【００６５】
ところで、洗濯機Ａを梱包した状態において炎天下で運搬する場合など、洗濯機Ａに過度の熱が加えられる環境下では、カバー２０が変形し（窓部２０ａの縁部が持ち上がるように変形し）、カバー２０の窓部２０ａの縁部とシール部材１００との水封が損なわれる虞がある。そこで、本実施形態では、図６（ｂ）に示すように、筺体１の一部を構成するカバー２０に係止爪２０ｉが形成され、この係止爪が係止される係止部４１ｃがパネルガイド４０に形成されている。カバー２０を上方から押し込む際に、係止爪２０ｉが係止部４１ｃのテーパ面に当接する。このとき、係止爪２０ｉと一体に形成された内リブ２０ｄが外側（後側）に撓み、係止爪２０ｉが係止部４１ｃを乗り越えたときに内リブ２０ｄが弾性復帰することで、係止爪２０ｉが係止部４１ｃに係止される。
【００６６】
なお、図示していないが、その他の係止爪２０ｈ，２０ｊ，２０ｋ（図４参照）についても、前記と同様にして、パネルガイド４０に形成された係止部４１ｃ，４１ｄ，４１ｅ，４１ｆに係止される。これにより、洗濯機Ａが過度な熱が加えられる環境下に曝されたとしても、カバー２０が窓部２０ａの近傍においてパネルガイド４０に係止されることで、カバー２０の窓部２０ａの縁部が変形することがなくなり、カバー２０とシール部材１００との水封を良好に行うことができる。
【００６７】
図７は、図２のＩＩ−ＩＩ線断面図である。
図７に示すように、タッチパネル３０に付随しているフレキシブル配線３１はコネクタ７３に接続されている。基板７０には、コネクタ７３の周囲を囲むように仕切り部９０が配置されている。この部分を避けて（仕切り部９０の上面よりも低くなるように）ポッティング材１２０が基板７０全体に充填されている。このポッティング材１２０の充填により、表示パネル５０を囲むように全周に形成された側壁４８の下部隙間が埋められ、その部分からの湿気の浸入を防止する。
【００６８】
そして、前記したとおり、タッチパネル３０の周縁部は、シール部材１００、パネルガイド４０によって密閉される。ただし、フレキシブル配線３１の引き出し部は支持部４１が切り欠かれているため、パネルガイド４０の平坦部４９に配置されたパッキン１１０を、シール部材１００を介してタッチパネル３０との間で侠持することで密閉する。すなわち、タッチパネル３０、シール部材１００、パネルガイド４０、パッキン１１０およびポッティング材１２０によって、表示パネル５０を含む閉空間が形成されることになる。
【００６９】
また、本実施形態では、カバー２０の破損等により、基板ケース８０内に水が浸入した場合でも、密閉空間に囲まれたフレキシブル配線５１に水が付着することはない。さらに、操作パネル４自体が略２０°の角度を持って取り付けられていることと、基板ケース８０の下部に水抜き孔８１（図６参照）が設けられていることによって、内部への水の滞留を防いでいる。これらにより、むき出しになっているフレキシブル配線３１に水がかかり短絡することもない。
【００７０】
例えば、ユーザが電源入ボタン１２（図２参照）を押すことで、基板ケース８０の外部から図示しないハーネスを介して電力が供給され、表示パネル５０には、運転コース（洗濯コース、洗濯・乾燥コース、乾燥コース）設定の初期画面が表示される。そして、ユーザが洗濯コースの文字が表示されているタッチパネル３０の領域をタッチ操作することで、表示パネル５０の表示が、洗濯コースの下階層に設定されたコース（標準、おいそぎ、念入り、柔らか、毛布、ドライなど）の画面に切り替わる。そして、ユーザがスタート／一時停止ボタン１１を押すことで、表示パネル５０の表示が、洗剤量や運転終了までの残り時間などの画面に切り替わる。
【００７１】
このように、ユーザが表示操作部１０を操作することで、表示操作部１０に表示される画面が切り替わりながら動作条件が決定される。ユーザは、ボタン式のスタート／一時停止ボタン１１を押すまで、タッチパネル３０上を操作するだけであるので、同様の操作感で動作条件を設定することができる。つまり、タッチパネル操作と押ボタン操作を何度も切り替えながら操作する必要がなくなる。また、ユーザの手の移動範囲を小さくすることができ、また操作パネル４の設置領域を小さくすることができる。
【００７２】
以上説明したように、本実施形態に係る洗濯機Ａでは、表示操作部１０が、窓部２０ａの周縁部においてカバー２０とタッチパネル３０とがシール部材１００を介して密閉され、さらに窓部２０ａ（開口部）を囲むように、カバー２０（筺体１）に係止爪２０ｈ，２０ｉ，２０ｊ，２０ｋが形成され、パネルガイド４０にこれら係止爪２０ｈ，２０ｉ，２０ｊ，２０ｋと係止される係止部４１ｃ，４１，４１ｅ，４１ｆが形成されている。これによれば、例えば、カバー２０の材料としてＰＥＴなど透明性を有するものを使用したとしても、過度な熱に曝される環境下におけるカバー２０の変形を防止することができ、カバー２０とタッチパネル３０との間における水封を良好に行うことができる。
【００７３】
また、本実施形態では、係止爪２０ｈ，２０ｉ，２０ｊ，２０ｋは、カバー２０（筺体１）と基板ケース８０とが固定支持される固定位置Ｐ１，Ｐ２，Ｐ３，Ｐ４が窓部２０ａ（開口部）より遠いほど密に配置されている。これによれば、固定位置Ｐ１，Ｐ２，Ｐ３，Ｐ４が遠いほど、カバー２０の窓部２０ａの近傍が変形し易くなるが、固定位置Ｐ１，Ｐ２，Ｐ３，Ｐ４が遠いほど係止爪２０ｈ，２０ｉ，２０ｊ，２０ｋを密に配置することで、カバー２０の窓部２０ａの変形を確実に防止することができ、カバー２０とタッチパネル３０との間における水封を良好に行うことができる。
【００７４】
また、本実施形態では、係止爪２０ｈ，２０ｉ，２０ｊ，２０ｋと係止される係止部４１ｃ，４１ｄ，４１ｅ，４１ｆがパネルガイド４０の上端に形成されている。これによれば、カバー２０に形成される係止爪２０ｈ，２０ｉ，２０ｊ，２０ｋの該カバー２０の裏面からの突出長さを短くできるので、係止爪２０ｈ，２０ｉ，２０ｊ，２０ｋの熱による変形を効果的に抑えることができ、水封を良好に行うことができる。
【００７５】
また、本実施形態では、カバー２０（筺体１）には窓部２０ａ（開口部）に沿って延在する内リブ２０ｄ（リブ）が形成され、この内リブ２０ｄ（横リブ２０ｄ２、縦リブ２０ｄ３）に複数の係止爪２０ｉ，２０ｊが形成されている。これによれば、係止爪２０ｉ，２０ｊの剛性を高めることができ、熱による変形を効果的に抑制でき、水封を良好に行うことができる。
【００７６】
（第２実施形態）
図８は、（ａ）は第２実施形態に係る表示操作部を示す断面図、（ｂ）は（ａ）のＣ部拡大図である。なお、第２実施形態に係る表示操作部１０Ａは、第１実施形態における係止爪２０ｈ，２０ｉ，２０ｊ，２０ｋと係止部４１ｃ，４１ｄ，４１ｅ，４１ｆとで構成される固定手段に替えて、ねじ固定による固定手段としたものである。その他の構成については、第１実施形態と同一の符号を付して重複した説明を省略する。
【００７７】
すなわち、第２実施形態に係る固定手段は、カバー２０（筺体１）の裏面に、ねじ穴２０ｘを形成し、パネルガイド４０の枠部４１ａにねじ挿通部４１ｘをねじ穴２０に対応する位置に形成し、ねじ１３０をねじ挿通部４１ｘに挿通し、ねじ穴２０ｘに螺合させることで固定している。なお、図示していないが、ねじ固定は、窓部２０ａを囲むように複数箇所に形成されている。第２実施形態によれば、第１実施形態と同様の効果を有する。また、前記したねじ固定をすることによって、カバー２０とパネルガイド４０とを確実に固定できるので、熱による変形を防止でき、水封を良好に行うことができる。
【００７８】
なお、本発明は前記した実施形態に限定されるものではなく、本発明の趣旨を逸脱しない範囲において種々変更することができる。例えば、本実施形態では、窓部２０ａ（開口部）を囲むようにカバー２０の複数箇所に係止爪２０ｈ，２０ｉ，２０ｊ，２０ｋを設けた場合を例に挙げて説明したが、窓部２０ａの全周を囲むように係止爪を形成した構成であってもよい。
【符号の説明】
【００７９】
Ａ      洗濯機
１      筐体
２      外槽（洗濯槽）
３      回転ドラム（洗濯槽）
１０    表示操作部
２０    カバー
２０ａ  窓部（開口部）
２０ｄ  内リブ
２０ｄ２  横リブ（リブ）
２０ｄ３  縦リブ（リブ）
２０ｇ  外リブ
２０ｈ，２０ｉ，２０ｊ，２０ｋ  係止爪
２０ｓ１，２０ｓ３，２０ｓ４  係止孔
２０ｖ  ねじ挿通孔
３０    タッチパネル
３１    フレキシブル配線
３２    強化ガラス（ガラス板）
３３    電極基板
４０    パネルガイド
４１ｃ，４１ｄ，４１ｅ，４１ｆ  係止部
５０    表示パネル
５１    フレキシブル配線
６０    表示パネルガイド
７０    基板
８０    基板ケース
１００  シール部材
Ｐ１，Ｐ２，Ｐ３，Ｐ４  固定位置
【図１】
2016059715.tif 000003
【図２】
2016059715.tif 000004
【図３】
2016059715.tif 000005
【図４】
2016059715.tif 000006
【図５】
2016059715.tif 000007
【図６】
2016059715.tif 000008
【図７】
2016059715.tif 000009
【図８】
2016059715.tif 000010